(57)【要約】【課題】  アプリケーションにより作成された主画像に付加画像を合成した印刷データを出力可能な印刷制御装置において、主画像と付加画像とを独立して色変換することを、主画像や付加画像の色に関わらずに実行可能とすること。【解決手段】  印刷データとして出力される描画領域３１３Ａに、家の絵と「１ＬＤＫ」なる文字列との組み合わせからなるカラーの主画像Ｓが描画され（Ａ）、更にその描画領域３１３Ａに、ロゴを表す特定色のウォーターマークＷが上書き描画される（Ｂ）。このとき、合成領域３１３ＢにウォーターマークＷが黒で描画される（Ｃ）。描画領域３１３Ａ上の画素の色変換は、合成領域３１３Ｂ上の色が黒である場合は、ウォーターマーク用の色変換パラメータを使って実行され、合成領域３１３Ｂ上の色が黒でない場合は、主画像用の色変換パラメータを使って実行される。【選択図】図５
2008205574.tif 000002
【特許請求の範囲】
【請求項１】
アプリケーションにより作成された主画像に合成すべき付加画像を表す付加画像データを生成すると共に、上記主画像に上記付加画像を合成した合成画像を表す合成画像データを、上記付加画像を表す付加画像データと上記主画像を表す主画像データとを用いて生成する合成画像データ生成手段と、
該合成画像データ生成手段によって生成された合成画像データを、印刷装置制御用の印刷データとして出力する出力手段と、
を備えた印刷制御装置であって、
上記付加画像の上記主画像への合成位置を記憶する合成位置記憶手段と、
該合成位置記憶手段に記憶された合成位置以外の画像に対応する上記合成画像データに色変換を施す主画像色変換手段と、
上記合成位置記憶手段に記憶された合成位置の画像に対応する上記合成画像データに、上記主画像色変換手段とは独立して色変換を施す付加画像色変換手段と、
を備え、
上記出力手段は、上記主画像色変換手段及び上記付加画像色変換手段による色変換が施された上記合成画像データを、上記印刷データとして出力することを特徴とする印刷制御装置。
【請求項２】
上記付加画像のうち、上記主画像によって隠される部分が存在する場合、上記合成位置記憶手段は、その部分を除いた合成位置を記憶することを特徴とする請求項１記載の印刷制御装置。
【請求項３】
上記主画像色変換手段及び上記付加画像色変換手段は、それぞれ独立のパラメータに基づいて上記合成画像データに色変換を施すことを特徴とする請求項１または２記載の印刷制御装置。
【請求項４】
主画像に合成すべき付加画像を表す付加画像データを生成する付加画像データ生成手段と、
上記主画像に上記付加画像を合成した合成画像を表す合成画像データを、上記付加画像データ生成手段によって生成された付加画像データと上記主画像を表す主画像データとを用いて生成する合成画像データ生成手段と、
該合成画像データ生成手段によって生成された合成画像データを、印刷装置制御用の印刷データとして出力する出力手段と、
を備えた印刷制御装置であって、
上記主画像データに色変換を施す主画像色変換手段と、
上記付加画像データに、上記主画像色変換手段とは独立して色変換を施す付加画像色変換手段と、
を備え、
上記合成画像データ生成手段は、上記主画像色変換手段及び上記付加画像色変換手段による色変換が施された上記主画像データ及び上記付加画像データを用いて上記合成画像データを生成することを特徴とする印刷制御装置。
【請求項５】
コンピュータを、請求項１〜４のいずれかに記載の印刷制御装置を構成する各手段として動作させることを特徴とするプログラム。
【発明の詳細な説明】
【技術分野】
【０００１】
本発明は、アプリケーション等によって作成されたデータに基づき、印刷装置制御用の印刷データを出力する印刷制御装置に関し、詳しくは、アプリケーション等によって作成された主画像にウォーターマーク等の付加画像を合成する印刷制御装置、及び、その印刷制御装置を構成するためのプログラムに関する。
【背景技術】
【０００２】
アプリケーションによって作成されたデータに基づいて印刷装置制御用の印刷データを出力する印刷制御装置では、従来より、色変換機能を有するものが考えられている。例えば、色合いを明るくしたり、赤みを強くしたりするなど、使用者の好みに応じた印刷結果が得られるように画像データに色変換を施すことが提案されている。
【０００３】
しかしながら、印刷される画像の中には、例えば会社のロゴなど、特定の色で印刷すべき画像もある。このような画像をウォーターマークなどの付加画像として、アプリケーションにより作成された主画像に合成して印刷する場合、合成後に色変換がなされると上記付加画像にも主画像と同様の色変換が施されてしまう。すると、会社のロゴなどの色合いが変化して違和感を与える可能性がある。
【０００４】
そこで、上記合成後の画像の各画素の色を判定し、その画素の色が会社のロゴ等を表す特定の色である場合は、主画像に対してなされる色変換とは異なる色変換を施すことが提案されている（例えば、特許文献１参照）。
【特許文献１】特開平１０−２１０３１２号公報
【発明の開示】
【発明が解決しようとする課題】
【０００５】
しかしながら、この場合、主画像の中に会社のロゴと同じ色の画素が含まれている場合、その画素に対しては主画像の他の部分と同様の色変換が施されず、主画像の印刷結果が不自然なものとなってしまう可能性がある。特に、会社のロゴと同じ色が主画像の中にも多数含まれている場合や、会社のロゴが多数の色から構成される場合はこのような課題が一層顕著になる。また、会社のロゴ以外にも、付加画像を特定の色で印刷したい場合には、同様の課題が生じる。
【０００６】
そこで、本発明は、アプリケーションにより作成された主画像に付加画像を合成した印刷データを出力可能な印刷制御装置において、主画像と付加画像とを独立して色変換することを、主画像や付加画像の色に関わらずに実行可能とすることを目的としてなされた。
【課題を解決するための手段】
【０００７】
上記目的を達するためになされた本発明の印刷制御装置は、アプリケーションにより作成された主画像に合成すべき付加画像を表す付加画像データを生成すると共に、上記主画像に上記付加画像を合成した合成画像を表す合成画像データを、上記付加画像を表す付加画像データと上記主画像を表す主画像データとを用いて生成する合成画像データ生成手段と、該合成画像データ生成手段によって生成された合成画像データを、印刷装置制御用の印刷データとして出力する出力手段と、を備えた印刷制御装置であって、上記付加画像の上記主画像への合成位置を記憶する合成位置記憶手段と、該合成位置記憶手段に記憶された合成位置以外の画像に対応する上記合成画像データに色変換を施す主画像色変換手段と、上記合成位置記憶手段に記憶された合成位置の画像に対応する上記合成画像データに、上記主画像色変換手段とは独立して色変換を施す付加画像色変換手段と、を備え、上記出力手段は、上記主画像色変換手段及び上記付加画像色変換手段による色変換が施された上記合成画像データを、上記印刷データとして出力することを特徴としている。
【０００８】
このように構成された本発明の印刷制御装置では、合成画像データ生成手段は、アプリケーションにより作成された主画像に合成すべき付加画像を表す付加画像データを生成すると共に、上記主画像に上記付加画像を合成した合成画像を表す合成画像データを、上記付加画像を表す付加画像データと上記主画像を表す主画像データとを用いて生成する。また、このとき合成位置記憶手段は、上記付加画像の上記主画像への合成位置を記憶する。
【０００９】
そして、主画像色変換手段は、上記合成位置記憶手段に記憶された合成位置以外の画像に対応する上記合成画像データに色変換を施し、付加画像色変換手段は、上記合成位置記憶手段に記憶された合成位置の画像に対応する上記合成画像データに、上記主画像色変換手段とは独立して色変換を施す。こうして主画像色変換手段及び付加画像色変換手段による色変換が施された上記合成画像データは、出力手段によって印刷装置制御用の印刷データとして出力される。
【００１０】
このように、本発明では、合成位置記憶手段によって付加画像の合成位置を記憶しておくことにより、主画像と付加画像とを独立して色変換することが、主画像や付加画像の色に関わらずに実行可能となる。
【００１１】
なお、本発明の印刷制御装置は以下の構成に限定されるものではないが、上記付加画像のうち、上記主画像によって隠される部分が存在する場合、上記合成位置記憶手段は、その部分を除いた合成位置を記憶してもよい。この場合、付加画像が主画像によって隠される部分には、主画像と同様の色変換が施される。従って、一層自然な印刷結果を得ることができる。
【００１２】
また、上記主画像色変換手段及び上記付加画像色変換手段は、それぞれ独立のパラメータに基づいて上記合成画像データに色変換を施してもよい。
また、本発明の印刷制御装置は、主画像に合成すべき付加画像を表す付加画像データを生成する付加画像データ生成手段と、上記主画像に上記付加画像を合成した合成画像を表す合成画像データを、上記付加画像データ生成手段によって生成された付加画像データと上記主画像を表す主画像データとを用いて生成する合成画像データ生成手段と、該合成画像データ生成手段によって生成された合成画像データを、印刷装置制御用の印刷データとして出力する出力手段と、を備えた印刷制御装置であって、上記主画像データに色変換を施す主画像色変換手段と、上記付加画像データに、上記主画像色変換手段とは独立して色変換を施す付加画像色変換手段と、を備え、上記合成画像データ生成手段は、上記主画像色変換手段及び上記付加画像色変換手段による色変換が施された上記主画像データ及び上記付加画像データを用いて上記合成画像データを生成することを特徴とするものであってもよい。
【００１３】
このように構成された本発明では、主画像色変換手段は、主画像を表す主画像データに色変換を施す。また、付加画像データ生成手段は、主画像に合成すべき付加画像を表す付加画像データを生成し、付加画像色変換手段は、その付加画像データに、上記主画像色変換手段とは独立して色変換を施す。そして、合成画像データ生成手段は、上記主画像色変換手段及び上記付加画像色変換手段による色変換が施された上記主画像データ及び上記付加画像データを用いて、上記主画像に上記付加画像を合成した合成画像を表す合成画像データを生成する。こうして生成された合成画像データは、出力手段によって印刷装置制御用の印刷データとして出力される。
【００１４】
このように、本発明では、主画像データと付加画像データとを合成前に色変換しておくことにより、主画像と付加画像とを独立して色変換することが、主画像や付加画像の色に関わらずに実行可能となる。
【００１５】
また、本発明のプログラムは、コンピュータを、上記いずれかに記載の印刷制御装置を構成する各手段として動作させることを特徴としている。このため、本発明のプログラムをコンピュータに実行させれば、上記いずれかに記載の印刷制御装置を容易に構成することができる。
【発明を実施するための最良の形態】
【００１６】
［実施の形態の全体構成］
次に、本発明の実施の形態を、図面を参照して説明する。図１は、本発明が適用されたプリントシステムの構成を表す外観図である。図１に示すように、本実施の形態のプリントシステムは、印刷装置の一例としてのカラーレーザプリンタ（以下、単にプリンタという）１と、そのプリンタ１にケーブル２００を介して接続された印刷制御装置の一例としてのパーソナルコンピュータ（以下、単にパソコンという）３００とから構成されている。なお、プリンタ１とパソコン３００とは、ＬＡＮなどのネットワークや、赤外線通信などを介して接続されてもよい。
【００１７】
プリンタ１は、イエロー，マゼンタ，シアン，及びブラックのトナーにて電子写真方式によって画像を形成する周知のプリンタエンジン２（図２参照）を内部に備え、このプリンタエンジン２は、収容トレイ３に収容された被記録媒体の一例としての用紙（図示省略）に、１枚ずつ画像を形成してスタッカ４へ排出する。また、プリンタ１の表面には、各種設定や指示を行うための操作パネル５が設けられている。
【００１８】
図２は、このプリントシステムにおける制御系の構成を表すブロック図である。図２に示すように、パソコン３００のパソコン本体３１０は、ＣＰＵ３１１、ＲＯＭ３１２、ＲＡＭ３１３、及び、記録媒体の一例としてのハードディスク装置（ＨＤＤ）３１４を備えている。そして、このパソコン本体３１０には、ＣＲＴ等のディスプレイ３２０、キーボード３３０、マウス３４０が接続されている（いずれも図１参照）。更に、パソコン本体３１０には、図示しないＬＡＮと接続するためのＬＡＮインタフェース（ＬＡＮＩ／Ｆ）３５０、及び、ケーブル２００を介してプリンタ１と接続するためのプリンタポートインタフェース（プリンタポートＩ／Ｆ）３６０も接続されている。
【００１９】
プリンタ１には、前述のプリンタエンジン２等を制御する制御部１０が設けられ、この制御部１０は、ＣＰＵ１０Ａ，ＲＯＭ１０Ｂ，ＲＡＭ１０Ｃを備えたマイクロコンピュータとして構成されている。また、制御部１０は、電源スイッチが切られても記憶内容が消えないようにされたＮＶＲＡＭ１０Ｄも備えている。更に、この制御部１０には、前述のプリンタエンジン２，操作パネル５の他、ケーブル２００を介してパソコン３００と接続するためのプリンタポートインタフェース（プリンタポートＩ／Ｆ）１１、及び、図示しないＬＡＮと接続するためのＬＡＮインタフェース（ＬＡＮＩ／Ｆ）１２などが接続されている。なお、プリンタ１とパソコン３００とは、前述のように、ＬＡＮインタフェース１２，３５０を介してＬＡＮなどのネットワークによって接続されてもよい。
【００２０】
［実施の形態における制御］
次に、この制御系で実行される処理について説明する。パソコン３００において各種アプリケーションで印刷対象としての主画像を表す主画像データが作成され、印刷のためにプリンタドライバがコールされてそのプリンタドライバ上でその印刷が指示されると、パソコン３００のＣＰＵ３１１は、ハードディスク装置３１４に記憶されたプログラムに基いて次のような印刷処理を実行する。
【００２１】
先ず、用紙サイズ，印刷範囲等の指定や付加画像の一例としてのウォーターマークが選択可能に構成された一般的なＵＩ（ユーザインタフェース）がディスプレイ８２０に表示される。更に、そのＵＩにおいて色調整を指示するためのボタンがマウス３４０を介してクリック（以下、単にクリックという）されると、図３に例示する色変換パラメータ設定ＵＩ９００がディスプレイ８２０に表示される。
【００２２】
図３に例示するように、この色変換パラメータ設定ＵＩ９００は、主画像に対して、色彩に関するパラメータを設定する色彩設定部９１１と、明るさに関するパラメータを設定する明るさ設定部９１３と、赤成分に関するパラメータを設定する赤成分設定部９１５と、緑成分に関するパラメータを設定する緑成分設定部９１７と、青成分に関するパラメータを設定する青成分設定部９１９とを備えている。また、この色変換パラメータ設定ＵＩ９００は、ウォーターマークに対しても、色彩に関するパラメータを設定する色彩設定部９２１と、明るさに関するパラメータを設定する明るさ設定部９２３と、赤成分に関するパラメータを設定する赤成分設定部９２５と、緑成分に関するパラメータを設定する緑成分設定部９２７と、青成分に関するパラメータを設定する青成分設定部９２９とを備えている。
【００２３】
色変換パラメータ設定ＵＩ９００は、更に、決定ボタン９３１とキャンセルボタン９３３とを備えており、キャンセルボタン９３３がクリックされると、この色変換パラメータ設定ＵＩ９００による設定がリセットされる。一方、各設定部９１１〜９２９による設定後に決定ボタン９３１がクリックされ、更に印刷開始が指示されると、この色変換パラメータ設定ＵＩ９００による設定に基づいて、次のような印刷処理が実行される。
【００２４】
図４は、ハードディスク装置３１４に記憶されたプログラムに基づいてＣＰＵ３１１が実行する上記印刷処理のメインルーチンを表すフローチャートである。また、理解の参考のため、この印刷処理の処理結果の一具体例を図５に示す。
【００２５】
図４に示すように、処理が開始されると、先ず、Ｓ１（Ｓはステップを表す：以下同様）にて、ＲＡＭ３１３に設けられた描画領域３１３Ａ（図５参照）に、上記主画像データに対応する描画命令に応じて主画像が描画される。すなわち、画像データをビットマップとして記憶する描画領域３１３Ａに、主画像データに対応する画像が展開される。図５（Ａ）の例では、家の絵と「１ＬＤＫ」なる文字列との組み合わせからなるカラーの主画像Ｓが、描画領域３１３Ａに描画される。
【００２６】
続く合成画像データ生成手段の一例としてのＳ２では、描画領域３１３Ａに、ウォーターマークが描画される。図５（Ｂ）の例では、上記主画像Ｓの上部に、「○○会社」なるロゴを表す特定色のウォーターマークＷが上書き描画される。
【００２７】
更に、続く合成位置記憶手段の一例としてのＳ３では、ＲＡＭ３１３に設けられた合成領域３１３Ｂ（図５参照）にウォーターマークが黒で描画される。図５（Ｃ）の例では、上記ウォーターマークＷが、描画領域３１３Ａにおける描画位置と同一位置に、合成領域３１３Ｂに黒で描画される。
【００２８】
続くＳ５では、このように合成領域３１３Ｂに描画されたデータを用いて、描画領域３１３Ａに描画された画像の色変換処理が次のように実行される。図６は、この色変換処理を詳細に表すフローチャートである。図６に示すように、この処理では、先ず、Ｓ５１にて、描画領域３１３Ａにｘ，ｙ座標が定義されｙが０に初期化される。
【００２９】
なお、このｘ，ｙ座標は、図５に示す描画領域３１３Ａについて、長さ方向（紙面上下方向）の座標を表すｙ座標と、横幅方向（紙面左右方向）の座標を表すｘ座標とによって定義される。また、ｘ座標の座標（値）は、紙面左端が０で、紙面右方向に１画素ずれる毎に＋１増加する。ｙ座標の座標（値）は、紙面上端が０で、紙面下方向に１画素ずれる毎に＋１増加する。すなわち、描画領域３１３Ａの左上端が原点となる。合成領域３１３Ｂについても同様のｘ，ｙ座標が定義され、合成領域３１３Ｂの左上端が原点となる。
【００３０】
続くＳ５２では、ｙが描画領域３１３Ａの長さよりも小さいか（ｙが描画領域３１３Ａの下端のｙ座標よりも小さいか）否かが判断される。ｙ＝０の場合は、ｙは上記長さよりも小さいので（Ｓ５２：Ｙ）、処理はＳ５３へ移行し、ｘが０に初期化される。続くＳ５４では、そのｘが描画領域３１３Ａの横幅よりも小さいか（ｘが描画領域３１３Ａの右端のｘ座標よりも小さいか）否かが判断される。ｘ＝０の場合は、ｘは横幅よりも小さいので（Ｓ５４：Ｙ）、処理はＳ５５へ移行する。
【００３１】
Ｓ５５では、その時点におけるｘ，ｙの値に応じて、合成領域３１３Ｂのｘ，ｙ座標に対応する画素の色が参照され、その色が黒であるか否かが判断される。そして、その画素の色が黒でない場合は（Ｓ５５：Ｎ）、続く主画像色変換手段の一例としてのＳ５６にて、その時点におけるｘ，ｙの値に応じて、描画領域３１３Ａのｘ，ｙ座標に対応する画素について主画像用の色変換パラメータを使った色変換が施された後、処理はＳ５８へ移行する。また、上記画素の色が黒である場合は（Ｓ５５：Ｙ）、付加画像色変換手段の一例としてのＳ５７にて、その時点におけるｘ，ｙの値に応じて、描画領域３１３Ａのｘ，ｙ座標に対応する画素についてウォーターマーク用の色変換パラメータを使った色変換が施された後、処理はＳ５８へ移行する。
【００３２】
すなわち、本処理では、合成領域３１３Ｂに黒で描画がなされているか否かに基づいて、その位置がウォーターマークＷの描画位置であるか否かを判断している（Ｓ５５）。そして、ウォーターマークＷの描画位置に対応する描画領域３１３Ａ上の画素には（Ｓ５５：Ｙ）、図３に示すウォーターマーク用の設定部９２１〜９２９にて設定されたパラメータを用いて色変換が施され（Ｓ５７）、それ以外の位置の画素には（Ｓ５５：Ｎ）、主画像用の設定部９１１〜９１９にて設定されたパラメータを用いて色変換が施されるのである（Ｓ５６）。なお、Ｓ５６，Ｓ５７における色変換は、いずれも、Ｒ（赤），Ｇ（緑），Ｂ（青）の多値データで表される画素の色をＣ（シアン），Ｍ（マゼンタ），Ｙ（イエロー），Ｋ（黒）の多値データで表される印刷用のデータに変換する処理である。
【００３３】
続くＳ５８では、ｘが１つ加算された後、処理は前述のＳ５４へ移行する。こうして、Ｓ５４〜Ｓ５８の処理が描画領域３１３Ａの横幅に対応する回数（すなわち描画領域３１３Ａの横幅方向の画素数）だけ繰り返されると、ｘ＝横幅（横幅方向の画素数に対応する幅）となり（Ｓ５４：Ｎ）、処理はＳ５９へ移行する。Ｓ５９では、ｙが１つ加算されて、処理は前述のＳ５２へ移行する。こうして、Ｓ５２〜Ｓ５９の処理が描画領域３１３Ａの長さに対応する回数（すなわち描画領域３１３Ａの長さ方向の画素数に対応する幅）だけ繰り返されると、ｙ＝長さ（長さ方向の画素数）となり（Ｓ５２：Ｎ）、処理は図４のＳ６へ移行する。
【００３４】
Ｓ６では、Ｓ５の色変換処理で作成されたＣ，Ｍ，Ｙ，Ｋのプレーンデータが圧縮され、続くＳ７にて、その圧縮後のデータに用紙サイズ等のデータが添付されることによって印刷用データが生成される。続いて、その印刷用データが、出力手段の一例としてのＳ８にてプリンタ１へ送信され、処理が終了する。
【００３５】
以上の処理により、主画像ＳとウォーターマークＷとを独立して色変換することが、主画像ＳやウォーターマークＷの色に関わらずに実行可能となり、主画像Ｓ，ウォーターマークＷをそれぞれ所望の色で印刷することができる。
【００３６】
［本発明の他の実施の形態］
なお、本発明は上記実施の形態に何ら限定されるものではなく、本発明の要旨を逸脱しない範囲で種々の形態で実施することができる。例えば、ウォーターマークＷが主画像Ｓを上書きされることによって一部隠される場合もある。図７は、このような場合に対応した処理を表すフローチャートである。
【００３７】
図７に示すように、前述の色変換パラメータ設定ＵＩ９００による設定後に印刷開始が指示されると、Ｓ１０１にて、描画領域３１３ＡにウォーターマークＷが描画され、続くＳ１０２にて、合成領域３１３Ｂの同一位置にウォーターマークＷが黒で描画される。このため、例えば図８（Ａ）に例示するように、描画領域３１３ＡにはウォーターマークＷが特定色で描画され（Ｓ１０１）、合成領域３１３Ｂにはそれと同一位置にウォーターマークＷが黒で描画される（Ｓ１０２）。
【００３８】
続くＳ１０３では、描画領域３１３Ａに、主画像データに対応する描画命令に応じて主画像Ｓが描画される。そして、続くＳ１０４では、合成領域３１３Ｂに主画像Ｓが白（合成領域３１３Ｂの背景色）で描画される。このため、例えば図８（Ｂ）に例示するように、描画領域３１３ＡにはウォーターマークＷの一部が主画像Ｓによって隠された画像が描かれ（Ｓ１０３）、合成領域３１３Ｂには、ウォーターマークＷの描画位置が主画像Ｓによって隠された部分を除いて黒で記憶される（Ｓ１０４）。
【００３９】
このような処理の後、図７に示すように前述のＳ５〜Ｓ８が実行されると、ウォーターマークＷの主画像Ｓによって隠された部分には主画像用の色変換パラメータを使った色変換が施され、自然な印刷結果を得ることができる。なお、上記処理において、Ｓ１０１，Ｓ１０３が合成画像データ生成手段に、Ｓ１０２，Ｓ１０４が合成位置記憶手段に、それぞれ相当する。
【００４０】
また、上記各実施の形態では、ウォーターマークＷを主画像Ｓに合成した後で色変換を行っているが、合成する前に色変換を行ってもよく、この場合、合成領域３１３Ｂを省略することができる。図９は、このような処理の一例を表すフローチャートである。
【００４１】
図９に示すように、前述の色変換パラメータ設定ＵＩ９００による設定後に印刷開始が指示されると、Ｓ２０１にて、前述のＳ１と同様に描画領域３１３Ａに主画像Ｓが描画される。続くＳ２０２では、主画像用の色変換パラメータを使って、上記描画された主画像Ｓに色変換が施され、Ｓ２０３にて、合成前のウォーターマークＷに、ウォーターマーク用の色変換パラメータを使って色変換が施される。そして、Ｓ２０４にて、上記色変換後のウォーターマークＷが描画領域３１３Ａに描画される。続いて、前述のＳ６〜Ｓ８の処理が実行されることにより、図４の処理と同様の印刷結果が得られる。
【００４２】
なお、上記処理において、Ｓ２０２の処理が主画像色変換手段に、Ｓ２０３の処理のうちウォーターマークＷのデータを読み出す処理が付加画像データ生成手段に、Ｓ２０３の処理のうちウォーターマークＷに色変換を施す処理が付加画像色変換手段に、Ｓ２０４の処理が合成画像データ生成手段に、それぞれ相当する。
【００４３】
更に、上記各実施の形態では、会社のロゴを表すウォーターマークＷを付加画像としているが、主画像，付加画像は上記以外のものであってもよいことは言うまでもない。また、上記各実施の形態では、ＲＧＢの多値データをＣＭＹＫの多値データに変換する際に上記パラメータを使った色変換が施されるが、ＲＧＢの多値データから上記パラメータを使って同様のＲＧＢの多値データへ階調変更する形態や、ＣＭＹＫの多値データから上記パラメータを使って同様のＣＭＹＫの多値データへ階調変更する形態にも、本発明は適用することができる。また更に、図４，図７の処理では、合成領域３１３Ｂに黒で描画を行うことによりウォーターマークＷの位置が記憶されるが、合成領域３１３Ｂには黒以外の色でウォーターマークＷが描画されてもよい。また、前述のように合成領域３１３Ｂにビットマップで描画する方法の他に、付加画像のテキストデータ，フォントデータ，ベクターデータ等とその始点座標等を記憶する方法などが採用されてもよい。
【図面の簡単な説明】
【００４４】
【図１】本発明が適用されたプリントシステムの構成を表す外観図である。
【図２】そのプリントシステムにおける制御系の構成を表すブロック図である。
【図３】そのプリントシステムのパソコンで表示される色変換パラメータ設定ＵＩを表す説明図である。
【図４】そのパソコンで実行される印刷処理のメインルーチンを表すフローチャートである。
【図５】その印刷処理による描画領域，合成領域の変化を表す説明図である。
【図６】上記印刷処理の色変換処理を詳細に表すフローチャートである。
【図７】上記印刷処理のメインルーチンの他の形態を表すフローチャートである。
【図８】その印刷処理による描画領域，合成領域の変化を表す説明図である。
【図９】上記印刷処理のメインルーチンの更に他の形態を表すフローチャートである。
【符号の説明】
【００４５】
１…カラーレーザプリンタ    ２…プリンタエンジン          １０…制御部
３００…パソコン            ３１０…パソコン本体          ３１１…ＣＰＵ
３１２…ＲＯＭ              ３１３…ＲＡＭ                ３１３Ａ…描画領域
３１３Ｂ…合成領域          ３１４…ハードディスク装置    ３２０…ディスプレイ
９００…色変換パラメータ設定ＵＩ        Ｓ…主画像        Ｗ…ウォーターマーク
【図１】
2008205574.tif 000003
【図２】
2008205574.tif 000004
【図３】
2008205574.tif 000005
【図４】
2008205574.tif 000006
【図５】
2008205574.tif 000007
【図６】
2008205574.tif 000008
【図７】
2008205574.tif 000009
【図８】
2008205574.tif 000010
【図９】
2008205574.tif 000011